【手続補正書】
【提出日】平成20年3月24日(2008.3.24)
【手続補正１】
【補正対象書類名】特許請求の範囲
【補正対象項目名】請求項６
【補正方法】変更
【補正の内容】
【請求項６】
前記偏光反射板は、直線偏光反射板であって、前記有機ＥＬバックライトと前記液晶パネルとの間に配設され、
前記有機ＥＬバックライトと前記直線偏光反射板との間に配設された１／４波長板をさらに備え、
前記有機ＥＬバックライトは、
透明基板と、
前記透明基板上において前記有機ＥＬ層を挟むように配設された陽極および陰極、を有し、
前記陽極は、前記透明基板の前記液晶パネルとは反対側の表面に配設され、
前記陰極は、前記有機ＥＬ層からの光を反射する反射板を兼用する、請求項１記載の液晶表示装置。
【手続補正２】
【補正対象書類名】特許請求の範囲
【補正対象項目名】請求項７
【補正方法】変更
【補正の内容】
【請求項７】
前記偏光反射板は、直線偏光反射板であって、前記有機ＥＬバックライトと前記液晶パネルとの間に配設され、
前記有機ＥＬバックライトと前記直線偏光反射板との間に配設された１／４波長板をさらに備え、
前記有機ＥＬバックライトは、
支持基板と、
前記支持基板上において前記有機ＥＬ層を挟むように配設された陽極および陰極、を有し、
前記陽極は、前記支持基板の前記液晶パネル側の表面に配設され、前記有機ＥＬ層からの光を反射する反射板を兼用する、請求項１記載の液晶表示装置。
【手続補正３】
【補正対象書類名】特許請求の範囲
【補正対象項目名】請求項９
【補正方法】変更
【補正の内容】
【請求項９】
前記偏光反射板は、円偏光反射板であって、前記有機ＥＬバックライトと前記液晶パネルとの間に配設され、
前記円偏光反射板と前記液晶パネルとの間に配設された１／４波長板をさらに備え、
前記有機ＥＬバックライトは、
透明基板と、
前記透明基板上において前記有機ＥＬ層を挟むように配設された陽極および陰極、を有し、
前記陽極は、前記透明基板の前記液晶パネルとは反対側の表面に配設され、
前記陰極は、前記有機ＥＬ層からの光を反射する反射板を兼用する、請求項１記載の液晶表示装置。
【手続補正４】
【補正対象書類名】特許請求の範囲
【補正対象項目名】請求項１０
【補正方法】変更
【補正の内容】
【請求項１０】
前記偏光反射板は、円偏光反射板であって、前記有機ＥＬバックライトと前記液晶パネルとの間に配設され、
前記円偏光反射板と前記液晶パネルとの間に配設された１／４波長板をさらに備え、
前記有機ＥＬバックライトは、
支持基板と、
前記支持基板上において前記有機ＥＬ層を挟むように配設された陽極および陰極、を有し、
前記陽極は、前記支持基板の前記液晶パネル側の表面に配設され、前記有機ＥＬ層からの光を反射する反射板を兼用する、請求項１記載の液晶表示装置。
【手続補正５】
【補正対象書類名】明細書
【補正対象項目名】００３８
【補正方法】変更
【補正の内容】
【００３８】
なお、有機ＥＬ層１３に供給される電力は、自然放射光１および２を発生させるとともに、誘導放射光２ｂの発生にも寄与する。
【手続補正６】
【補正対象書類名】明細書
【補正対象項目名】００５４
【補正方法】変更
【補正の内容】
【００５４】
ここで、透明基板１１の背面側に放射された光２は、位相差板５０を通ることで右回り円偏光成分および左回り円偏光成分を同じ比率で含んだ円偏光光２ａとなる。光２ａは反射板６０で反射されて位相差板５０に再入射され、位相差板５０を通ることで再び２つの直交する直線偏光成分を同じ比率で含んだ直線偏光光となる。なお、光２ａは反射板６０で反射されて位相差板５０に再入射することで偏光方向が９０°回転するが、自然光である光２は偏光成分に偏りがないため、ただ単に光２が反射板６０で反射して有機ＥＬ層１３に再入射するのと等価である。
【手続補正７】
【補正対象書類名】明細書
【補正対象項目名】００６３
【補正方法】変更
【補正の内容】
【００６３】
＜Ｂ−３．変形例＞
以上の説明においては有機ＥＬバックライト１０は、透明基板１１上に有機ＥＬ層１３を積層する構成としたが、位相差板５０および反射板６０を積層したものを透明基板１１の代わりに使用しても良い。
【手続補正８】
【補正対象書類名】明細書
【補正対象項目名】００７７
【補正方法】変更
【補正の内容】
【００７７】
なお、直線偏光反射板３０を透過した光１ｂおよび１ｌの偏光方向は、液晶パネル２０の入射側の偏光板２１の透過軸と一致しているため、光１ｂおよび１ｌが効率よく液晶パネル２０内に入射する。なお、液晶パネル２０に入射した光１ｂおよび１ｌは、液晶層２５を通ることで偏光方向が変わり、偏光板２２を介してそれぞれ光１ｃおよび１ｍとして放射される。
【手続補正９】
【補正対象書類名】明細書
【補正対象項目名】００８３
【補正方法】変更
【補正の内容】
【００８３】
一方、有機ＥＬ層１３にりん光を発光させる有機ＥＬ材料を含めた液晶表示装置３００においては、自然放射光のうち大きな出射角で放射された光については同様の損失が生じるが、有機ＥＬ層１３に再入射、再々入射できるような出射角が小さな光は、誘導放射により増幅される。この結果、特定の偏光成分でかつ液晶パネル２０のパネル面に垂直な軸に近い角度成分を持つ光の割合を増やすことができ、有機ＥＬ層１３から放射された光を、小さな損失で液晶パネル２０に入射させることができる。
【手続補正１０】
【補正対象書類名】明細書
【補正対象項目名】００８８
【補正方法】変更
【補正の内容】
【００８８】
透明基板１１、透明電極１２および有機ＥＬ層１３の材質および含有成分等は、有機ＥＬバックライト１０と同様であり、有機発光層中に電子を注入するための陰極としての反射電極１５にはアルミニウムを使う。その他、図３に示した液晶表示装置３００と同一の構成については同一の符号を付し、重複する説明は省略する。
【手続補正１１】
【補正対象書類名】明細書
【補正対象項目名】００９４
【補正方法】変更
【補正の内容】
【００９４】
以上の説明において、有機ＥＬバックライト１０Ａは、透明基板１１上に有機ＥＬ層１３を積層する構成としたが、位相差板５０および直線偏光反射板３０を積層したものを透明基板１１の代わりに使用しても良い。
【手続補正１２】
【補正対象書類名】明細書
【補正対象項目名】０１０３
【補正方法】変更
【補正の内容】
【０１０３】
有機ＥＬ層１３に再々入射した光１ｆは、有機ＥＬ層１３において誘導放射を生じさせ、光１ｆと進行方向および偏光方向が同じで、強度がさらに増幅された増幅光１ｉ（誘導放射光）を発生させる。光１ｉは透明電極１４を透過して増幅光１ｊとして放射される。
【手続補正１３】
【補正対象書類名】明細書
【補正対象項目名】０１２７
【補正方法】変更
【補正の内容】
【０１２７】
一方、有機ＥＬ層１３にりん光を発光させる有機ＥＬ材料を含めた液晶表示装置４００においては、自然放射光のうち大きな出射角で放射された光については同様の損失が生じるが、有機ＥＬ層１３に再入射、再々入射できるような出射角が小さな光は、誘導放射により増幅される。この結果、特定の偏光成分でかつ液晶パネル２０のパネル面に垂直な軸に近い角度成分を持つ光の割合を増やすことができ、有機ＥＬ層１３から放射された光を、小さな損失で液晶パネル２０に入射させることができる。
【手続補正１４】
【補正対象書類名】明細書
【補正対象項目名】０１４７
【補正方法】変更
【補正の内容】
【０１４７】
有機ＥＬ層１３に再々入射した光１ｅは、有機ＥＬ層１３において誘導放射を生じさせ、光１ｅと進行方向および偏光方向が同じで、さらに強度が増幅された増幅光１ｈ（誘導放射光）を発生させる。光１ｈは透明電極１４を透過して増幅光１ｉとして放射される。